(57)【特許請求の範囲】
【請求項１】
移動通信端末と無線により通信を行う基地局と、前記複数の基地局間の呼制御を行う移動通信交換機とを少なくとも含む無線通信システムであって、
前記移動通信交換機と前記複数の基地局間に少なくともひとつの基地局集線装置を設け、前記複数の基地局を前記基地局集線装置のいずれかに接続する構成とし、
前記基地局集線装置が、前記移動通信交換機から受信した呼制御メッセージに含まれる第一の基地局識別情報を第二の基地局識別情報に変換する手段と、前記第二の基地局識別情報の管理を行うことを特徴とする無線通信システム。
【請求項２】
前記基地局集線装置は、記憶手段と、基地局／端末情報管理手段とを有し、
前記記憶手段には、前記移動通信交換機で管理している第一の基地局識別番号を基地局集線装置に対応付ける第一の管理表と、複数の基地局集線装置と該複数の基地局集線装置に接続された基地局とを対応付ける第二の管理表と、移動通信端末と該移動通信端末が待ち受けをする基地局とを対応付ける第三の管理表と、基地局と前記第二の基地局識別情報を対応付ける第四の管理表とを有し、
前記移動通信交換機から受信した呼制御メッセージに含まれる第一の基地局識別情報については、前記第一の管理表を参照して第一の基地局識別情報から対応する基地局集線装置の情報を取得し、また前記呼制御メッセージに含まれる移動通信端末の情報に基づき前記第三の管理表を参照して前記移動通信端末が待ち受けをする基地局の情報を取得し、前記基地局を含む基地局集線装置グループを前記第二の管理表より取得し、前記第四の管理表を参照して、前記基地局に対応する第二の基地局識別情報を取得することにより、前記第一の基地局識別信号を第二の基地局識別信号に変換することを特徴とする請求項１に記載の無線通信システム。
【請求項３】
前記第一の基地局識別情報は、３ＧＰＰ2  Ａ.Ｓ０００１−Ａに規定された基地局制御情報であり、前記第二の基地局識別信号は、最大１６ビットを用いて基地局を識別できる基地局制御情報であることを特徴とする請求項１に記載の無線通信システム。
【請求項４】
前記第一、第二の基地局識別情報は、ともに３ＧＰＰ2  Ａ.Ｓ０００１−Ａに規定された基地局制御情報であることを特徴とする請求項１に記載の無線通信システム。
【請求項５】
移動通信端末と無線により通信を行う基地局と、前記複数の基地局間の呼制御を行う移動通信交換機とを少なくとも含む無線通信システムにおける基地局識別情報制御方法であって、
前記移動通信交換機と前記複数の基地局間に少なくともひとつの基地局集線装置を設け、前記複数の基地局を前記基地局集線装置のいずれかに接続する構成とし、
前記基地局集線装置において、前記移動通信交換機から受信した呼制御メッセージに含まれる第一の基地局識別情報を第二の基地局識別情報に変換することを特徴とする基地局識別情報制御方法。
【請求項６】
前記基地局集線装置は、前記移動通信交換機で管理している第一の基地局識別番号を基地局集線装置に対応付ける第一の管理表と、複数の基地局集線装置と該複数の基地局集線装置に接続された基地局とを対応付ける第二の管理表と、移動通信端末と該移動通信端末が待ち受けをする基地局とを対応付ける第三の管理表と、基地局と前記第二の基地局識別情報を対応付ける第四の管理表とを有し、
前記移動通信交換機から受信した呼制御メッセージに含まれる第一の基地局識別情報については、前記第一の管理表を参照して第一の基地局識別情報から対応する基地局集線装置の情報を取得し、また前記呼制御メッセージに含まれる移動通信端末の情報に基づき前記第三の管理表を参照して前記移動通信端末が待ち受けをする基地局の情報を取得し、前記基地局を含む基地局集線装置グループを前記第二の管理表より取得し、前記第四の管理表を参照して、前記基地局に対応する第二の基地局識別情報を取得することにより、前記第一の基地局識別信号を第二の基地局識別信号に変換することを特徴とする請求項５に記載の基地局識別情報制御方法。
【請求項７】
前記第一の基地局識別情報は、３ＧＰＰ2  Ａ.Ｓ０００１−Ａに規定された基地局制御情報であり、前記第二の基地局識別信号は、最大１６ビットを用いて基地局を識別できる基地局制御情報であることを特徴とする請求項５に記載の基地局識別信号制御方法。
【請求項８】
前記第一、第二の基地局識別情報は、ともに３ＧＰＰ2  Ａ.Ｓ０００１−Ａに規定された基地局制御情報であることを特徴とする請求項５に記載の基地局識別信号制御方法。
【発明の詳細な説明】
【技術分野】
【０００１】
本発明は、移動体通信技術に関し、特に、移動体通信網内の移動通信交換機（ＢＳＣ）に収容可能な基地局の数を増加させるための技術に関する。
【背景技術】
【０００２】
これまで、移動体通信網はマクロセル方式を基本とし、マクロセルの集合として構成されていた。マクロセルは、セルの大きさが半径数キロであり、大容量のものでは１０００台以上の移動通信端末（ＭＳ：Ｍｏｂｉｌｅ  Ｓｔａｔｉｏｎ）と同時に通信可能である。移動体通信網においては、複数の基地局（ＢＴＳ）が、基地局制御装置（ＢＳＣ：Ｂａｓｅ  Ｓｔａｔｉｏｎ  Ｃｏｎｔｒｏｌｌｅｒ）に接続され、さらに複数の基地局制御装置（ＢＳＣ）が、コアネットワーク内の移動通信交換機（ＭＳＣ:Ｍｏｂｉｌｅ  Ｓｅｒｖｉｃｅｓ  Ｓｗｉｔｃｈｉｎｇ  Ｃｅｎｔｅｒ）に接続される。移動体通信網においては、基地局（ＢＴＳ）の識別には、セルＩＤ（Ｃｅｌｌｉｄ：Ｃｅｌｌｉｄｅｎｔｉｔｙ）を用いている。このＣｅｌｌｉｄについては、非特許文献１に定義されていて、１６ビットが割り当てられている。非特許文献１では、この１６ビットのうち、４ビットがセクタの識別用に使用されるように規定されているので、基地局（ＢＴＳ）の識別に使えるのは、残りの１２ビットであった。
【０００３】
前述のように、マクロセルの集合で移動体通信網が形成されている場合には、各基地局（ＢＴＳ：Ｂａｓｅ  Ｔｒａｎｃｅｉｖｅｒ  Ｓｔａｔｉｏｎ）のカバーエリアが広く、かつ１台の基地局（ＢＴＳ）が収容可能な移動通信端末（ＭＳ）数も多い為、１つの移動通信交換機（ＭＳＣ）で基地局（ＢＴＳ）の識別に必要なＣｅｌｌｉｄの数は、規格どおりの１２ビット（最大４０９５台）でも問題となることはなかった。
【０００４】
しかし、その後、利用者が一部のエリアに集中してしまう高密度対策、また圏外対策のためにマイクロセルやピコセルといった、カバーエリアがより狭い基地局（ＢＴＳ）が登場してきた。さらに最近では、わずかな隙間もカバーするために、収容できる移動通信端末（ＭＳ）が数台程度しかなくまたカバーエリアも数ｍ〜数十ｍという、さらに狭い超小規模ＢＴＳ（フェムトセル）が登場しようとしている。
【０００５】
このような超小規模ＢＴＳはパーソナルユースを狙ったものであり、各家庭、オフィスなどに配置され、移動体通信網内に多数存在するようになると、既存のマクロセルなどの基地局（ＢＴＳ）とあわせ、移動通信交換機（ＭＳＣ）が収容しなくてはならない基地局の総数が莫大な数になることが予想されている。また、今までマイクロセルで構成されていた移動体通信網を、超小規模ＢＴＳで構成し、同じ数の移動体通信端末（ＭＳ）を収容しようとする場合には、マクロセルの基地局であれば今まで１台で１０００台可能であったところ、超小規模ＢＴＳでは、数百台が必要となってしまう。そのため、今までマクロセルで構成されていた移動体通信網を、超小規模ＢＴＳで構成しようとする場合には、今までの移動通信端末（ＭＳ）収容可能台数よりもかなり少ない台数しか収容できないシステムになってしまうという問題があった。また、移動通信端末（ＭＳ）の収容台数を増やすには、高価な移動通信交換機（ＭＳＣ）を増設しなくてはならないという問題点があった。
【０００６】
【非特許文献１】３ＧＰＰ2  Ａ.Ｓ０００１−Ａ(３ＧＰＰ2  Ａｃｃｅｓｓ  Ｎｅｔｗｏｒｋ  Ｉｎｔｅｒｆａｃｅｓ  Ｉｎｔｅｒｏｐｅｒａｂｉｒｉｔｙ)  Ｓｅｃｔｉｏｎ６．２．２．２０
【発明の開示】
【発明が解決しようとする課題】
【０００７】
前述のように、超小規模ＢＴＳの登場により、移動通信交換機（ＭＳＣ）には膨大な数の基地局（ＢＴＳ）が収容できるようになることが求めらるようになった。
本願発明は、この課題を解決するためになされたもので、１つの移動通信交換機（ＭＳＣ）に接続できる基地局（ＢＴＳ）を増やすことを目的とするものである。また、移動体通信網が超小規模ＢＴＳで構成される場合でも、高価な移動通信交換機（ＭＳＣ）を増設することなくマクロセル方式と同等の台数の移動通信端末（ＭＳ）が収容できるようにすることを目的とするものである。
【課題を解決するための手段】
【０００８】
このような目的を達成するために、本願発明においては、１つの移動通信交換機（ＭＳＣ）における基地局（ＢＴＳ）識別用のＣｅｌｌｉｄの数を増やすようにした。
より詳細には、第一の手段として、基地局（ＢＴＳ）の識別を最大１２ビットで行っていたのを、セクタ識別のために使用されていた４ビットも含めて最大１６ビットで行うようにする。
【０００９】
また、本願発明の第二の手段は、移動通信交換機（ＭＳＣ）と基地局（ＢＴＳ）との間にＢＴＳ集線装置を設け、このＢＴＳ集線装置にＣｅｌｌｉｄを変換する機能をたせる。ＢＴＳ集線装置が移動通信交換機（ＭＳＣ）と独立したＣｅｌｌｉｄの管理を行うことで、１つの移動通信交換機（ＭＳＣ）において識別できる基地局（ＢＴＳ）の数を増やす。また、ＢＴＳ集線装置に、基地局（ＢＴＳ）及び移動通信端末（ＭＳ）を管理する機能を付加することにより効率よくＣｅｌｌｉｄを変換する。
【００１０】
さらに、第二の手段において、移動通信交換機（ＭＳＣ）とＢＴＳ集線装置との間は規格どおりセクタ識別用の４ビットを含む１６ビットのＣｅｌｌｉｄで通信し、ＢＴＳ集線装置と基地局（ＢＴＳ）との間の通信は従来どおりのＣｅｌｌｉｄまたは、第一の手段を用いるようにする。
【発明の効果】
【００１１】
本願発明によれば、１つの移動通信交換機（ＭＳＣ）に収容できる基地局（ＢＴＳ）の数を増やすことができる。また、移動体通信網が超小規模ＢＴＳで構成される場合でも、高価な移動通信交換機（ＭＳＣ）を増設することなくマクロセル方式と同等の台数の移動通信端末（ＭＳ）が収容できる。また、ＢＴＳ集線装置でＣｅｌｌｉｄを変換処理することにより、既存の移動通信交換機（ＭＳＣ）を変更せずに、多数の基地局を収容できる。
【発明を実施するための最良の形態】
【００１２】
以下、本発明の一実施形態を図面に基づいて説明する。
まず、従来の移動通信ネットワークおける移動通信交換機（ＭＳＣ）と移動通信端末（ＭＳ）間の通信の概要について説明する。
【００１３】
図１は、従来の移動通信ネットワークおけるネットワーク構成例を示す図である。
移動通信ネットワークは、基地局（ＢＴＳ）や基地局制御装置（ＢＳＣ）を含み、ユーザと直接電波をやりとりする無線アクセスネットワークと、移動通信交換機（ＭＳＣ）を含む心臓部であるコアネットワークで構成される。コアネットワークから有線の電話網やインターネット網に接続されている。図１には、コアネットワークの移動通信交換機（ＭＳＣ）よりも移動端末側の部分について図示したものである。
【００１４】
図１に示すように、移動通信交換機（ＭＳＣ）１０１には、複数の基地局制御装置（ＢＳＣ）１１１−１〜１１１−ｎが接続される。さらに各々の基地局制御装置（ＢＳＣ）には、複数の基地局（ＢＴＳ）１２１−１〜１２ｎ−ｍが接続される。移動通信交換機（ＭＳＣ）と基地局（ＢＴＳ）間では、基地局を識別するためのＣｅｌｌｉｄは１２ビットであるため、移動通信交換機（ＭＳＣ）には、複数の基地局制御装置（ＢＳＣ）を介して接続可能な基地局（ＢＴＳ）数は最大で４０９５個である。
【００１５】
図２は、基地局（ＢＴＳ）を識別するためのＣｅｌｌｉｄの定義を示す図である。
図２は非特許文献１の６．１．２節などに示されるＣｅｌｌｉｄｅｎｔｉｆｉｅｒの部分を示している。Ｃｅｌｌｉｄｅｎｔｉｆｉｅｒには、Ｏｃｔｅｔのｊ番目のビット７からｊ＋１番目の０ビットまでの１６ビットが割り当てられる。そのうちｊ＋１番目の３ビットから０ビットまでの４ビットは、セクタ識別用に割り当てられている。セクタ識別用の４ビットは、ｏｍｎｉタイプの場合は０Ｈ（１６進数）の値となる。
【００１６】
図２のＣｅｌｌｉｄの定義に従って、図１の基地局１２１−１（ＢＴＳ１−１）の基地局の識別子が１１１Ｈでｏｍｎｉタイプ（ｓｅｃｔｏｒ  ｎｕｍｂｅｒ：０Ｈ）の基地局であったとするとＣｅｌｌｉｄ は、Ｃｅｌｌｉｄ：１１１Ｈ  ｓｅｃｔｏｒ  ｎｕｍｂｅｒ：０Ｈとなる。また、基地局１２１−２（ＢＴＳ１−２）がＣｅｌｌｉｄｅｎｔｉｆｉｅｒが１１２Ｈでセクタタイプの基地局であったとすると、基地局１２１−２（ＢＴＳ１−２）のセクタ１のＣｅｌｌｉｄ は、Ｃｅｌｌｉｄ：１１２Ｈ  ｓｅｃｔｏｒ  ｎｕｍｂｅｒ：１Ｈ、セクタ２のＣｅｌｌｉｄ は、Ｃｅｌｌｉｄ：１１２Ｈｓｅｃｔｏｒ  ｎｕｍｂｅｒ：２Ｈとなる。また、移動通信端末１（ＭＳ１  １３１）の識別番号（ＩＭＳＩ）が４４０１２３４５６７８９１２１Ｈであったとする。
【００１７】
図３は、移動通信端末への着呼時のシーケンスを示す図である。
図３には、図１に示す装置間で、移動通信端末（ＭＳ１  １３１）へ着呼した場合のシーケンスを示している。
基地局制御装置（ＢＳＣ１）１１１−１は、移動通信交換機（ＭＳＣ）１０１から受信したページングリクエスト（Ｐａｇｉｎｇ  Ｒｅｑｕｅｓｔ）（Ｍ１０１）メッセージに含まれるＣｅｌｌｉｄが１１１Ｈであること確認する。そしてページングリクエスト（Ｍ１０１）メッセージの内容からＡｂｉｓ-ＰＣＨ  Ｍｓｇ.  Ｔｒａｎｓｆｅｒ(ＧＰＭ)メッセージ（Ｍ１０２）を生成し、Ｃｅｌｌｉｄが１１１Ｈである基地局（ＢＴＳ１−１）１２１−１へ送信する。また、基地局（ＢＴＳ１−１）１２１−１より受信したＡｂｉｓ-ＡＣＨ  Ｍｓｇ.Ｔｒａｎｓｆｅｒ(ＰＲＭ)メッセージ（Ｍ１０３）の内容からＣｏｍｐｌｅｔｅ  Ｌ３  Ｉｎｆｏ:Ｐａｇｉｎｇ  Ｒｅｓｐｏｎｓｅメッセージ（Ｍ１０４）を生成し、移動通信交換機（ＭＳＣ）１０１へ送信する。
【００１８】
図４に、基地局制御装置の処理フローを示す。
図４は、基地局制御装置（ＢＳＣ）の上記処理をフロー図として表現したものである。基地局制御装置（ＢＳＣ１）１１１−１は、移動通信交換機（ＭＳＣ）１０１からページングリクエスト（Ｐａｇｉｎｇ  Ｒｅｑｕｅｓｔ）（Ｍ１０１）を受信する。（Ｓ４０１）そして、そのページングリクエスト（Ｐａｇｉｎｇ  Ｒｅｑｕｅｓｔ）（Ｍ１０１）メッセージからＣｅｌｌｉｄが１１１Ｈであること確認し、対象基地局が基地局（ＢＴＳ１−１）１２１−１であると特定する。（Ｓ４０２）そしてページングリクエスト（Ｍ１０１）メッセージの内容からＡｂｉｓ-ＰＣＨ  Ｍｓｇ.  Ｔｒａｎｓｆｅｒ(ＧＰＭ)メッセージ（Ｍ１０２）を生成し（Ｓ４０３）、基地局（ＢＴＳ１−１）１２１−１へ送信する。（Ｓ４０４）また、基地局（ＢＴＳ１−１）１２１−１より受信したＡｂｉｓ-ＡＣＨ  Ｍｓｇ.Ｔｒａｎｓｆｅｒ(ＰＲＭ)メッセージ（Ｍ１０３）を受信する。（Ｓ４０５）そしてそのメッセージの内容からＣｏｍｐｌｅｔｅ  Ｌ３  Ｉｎｆｏ:Ｐａｇｉｎｇ  Ｒｅｓｐｏｎｓｅメッセージ（Ｍ１０４）を生成する。（Ｓ４０６）そしてＣｏｍｐｌｅｔｅ  Ｌ３  Ｉｎｆｏ:Ｐａｇｉｎｇ  Ｒｅｓｐｏｎｓｅメッセージ（Ｍ１０４）を移動通信交換機（ＭＳＣ）１０１へ送信する。（Ｓ４０７）
次に、本願発明の一実施例を図５から図１０を用いて説明する。
【００１９】
図５は、本願発明の一実施例におけるネットワーク構成例を示す図である。
本願発明の実施例においては、図１と同じように移動通信交換機（ＭＳＣ）５０１に基地局制御装置（ＢＳＣ１）５１１−１…を介して基地局（ＢＴＳ１−１）５２１−１…が接続される。また、ＢＴＳ集線装置５４１−１〜５４１−ｎを設け、このＢＴＳ集線装置５４１−１〜５４１−ｎを介して基地局５５１-１〜５５ｎ−ｍが接続されている。ここで、基地局５５１は、超小規模基地局（ｓｓＢＴＳ）であり本実施例では、後述する手段によりひとつのＢＴＳ集線装置にそれぞれ最大６５５３５個接続可能とする。超小規模基地局ｓｓＢＴＳは、ＢＴＳ集線装置５４１−ｎと基地局制御装置（ＢＳＣｉ）５１１−ｉの両方を介して移動通信交換機（ＭＳＣ）５０１に接続される構成としてもよい。
【００２０】
図６に、本願発明の実施例におけるメッセージ内のＣｅｌｌｉｄｅｎｔｉｆｉｅｒの構成を示す。
図６は、ＣｅｌｌｉｄｅｎｔｉｆｉｅｒのＣｅｌｌｉｄの構成を示す図である。本実施例では、Ｏｃｔｅｔのj番目のビット７からｊ+１番目の０ビットまでの１６ビットがＣｅｌｌｉｄとして割り当てられる。
【００２１】
図６のＣｅｌｌｉｄのフォーマットを用いた、本実施例のＣｅｌｌｉｄについて説明する。図５の基地局（ｓｓＢＴＳ１−１）５５１−１のＣｅｌｌｉｄを１１１９Ｈ、基地局（ｓｓＢＴＳ１−２）５５１−２のＣｅｌｌｉｄを１１１ＡＨとする。
【００２２】
本実施例では、ＢＴＳ集線装置と基地局（ｓｓＢＴＳ）間は、図６の定義に従ってＣｅｌｌｉｄを定義する。一方、移動通信交換機（ＭＳＣ）５０１とＢＴＳ集線装置との間の通信に、図２のＣｅｌｌｉｄの定義に従う。たとえば、ＢＴＳ集線装置１  ５４１−１には、従来のＣｅｌｌｉｄの定義に沿って１２ビットのＣｅｌｌｉｄ：１０１ＨとＳｅｃｔｏｒ  ｎｕｍｂｅｒ:０Ｈとする。さらに図のように、ＢＴＳ集線装置１  ５４１−１には、Ｃｅｌｌｉｄ：１０２Ｈ  Ｓｅｃｔｏｒ  ｎｕｍｂｅｒ:０Ｈというように複数のＣｅｌｌｉｄを付与することもできる。そして、移動通信端末（ＭＳ２）の識別番号（ＩＭＳＩ）を４４０１２３４５６７８９１２２Ｈであったとする。
【００２３】
図７にＢＴＳ集線装置（ＢＴＳ集線装置１）の構成を示す。
ＢＴＳ集線装置は、移動通信交換機（ＭＳＣ）とのインタフェースであるＭＳＣ  Ｉ／Ｆ７０１と、信号処理部７０２、超小規模基地局（ｓｓＢＴＳ）とのインタフェースであるｓｓＢＴＳ  Ｉ／Ｆ７０４、およびデータベースを有し、基地局ＢＴＳと端末ＭＳに関する情報を管理するＢＴＳ・ＭＳ管理部７０３を少なくとも有する。
【００２４】
図８に、ＢＴＳ・ＭＳ管理部（ＤＢ１）におけるテーブルの構成例を示す。
ＢＴＳ・ＭＳ管理部（ＤＢ１）７０３には、本実施例では基地局（ＢＴＳ）管理表、基地局（ＢＴＳ）−移動通信端末（ＭＳ）管理表、ＢＴＳ集線装置グループＣｅｌｌｉｄ管理表、基地局（ＢＴＳ）グループ管理表の４つの管理表が格納されている。以下それぞれの管理表について説明する。
基地局（ＢＴＳ）管理表（ＤＢ１−１）は、ＢＴＳ集線装置（ＢＴＳ集線装置１）に接続された基地局（ＢＴＳ）とそのＣｅｌｌｉｄを関連付けする為の管理表で、予め設定しておく。
基地局（ＢＴＳ）−移動通信端末（ＭＳ）管理表（ＤＢ１−２）は、移動通信端末（ＭＳ）と移動通信端末（ＭＳ）が待ち受けている基地局（ＢＴＳ）とを関連付けする為の管理表である。移動通信端末（ＭＳ）がＢＴＳ集線装置（ＢＴＳ集線装置１）に接続された基地局（ＢＴＳ）のエリア内に移動してきたときに行う位置登録のメッセージ中より、移動通信端末（ＭＳ）の情報と待ち受ける基地局（ＢＴＳ）の情報を抽出して作成し、変化があれば随時更新する。
ＢＴＳ集線装置グループＣｅｌｌｉｄ管理表（ＤＢ１−３）は、ＢＴＳ集線装置（ＢＴＳ集線装置１）のグループへ割り当てたＣｅｌｌｉｄの管理表である。
基地局（ＢＴＳ）グループ管理表（ＤＢ１−４）は、ＢＴＳ集線装置（ＢＴＳ集線装置１）に接続された基地局（ＢＴＳ）がどのクループに属しているかの管理表である。
ＢＴＳ集線装置グループＣｅｌｌｉｄ管理表（ＤＢ１−３）、基地局（ＢＴＳ）グループ管理表（ＤＢ１−４）は予め設定しておく。
【００２５】
図９を用いて、本実施例において移動通信端末へ着呼した場合のシーケンスを説明する。
図９には、移動通信端末（ＭＳ２）５３１へ着呼した場合のシーケンスを示している。
ＢＴＳ集線装置１  ５４１−１は、移動通信交換機（ＭＳＣ）５０１から受信したページングリクエスト（Ｍ２０１）メッセージのＣｅｌｌｉｄを確認し、ＢＴＳ集線装置グループＣｅｌｌｉｄ管理表を参照して、メッセージ中のＣｅｌｌｉｄが１０１ＨであることからそのメッセージがＢＴＳ集線装置５４１−１へのメッセージであることを確認する。また、ＢＴＳ・ＭＳ管理部（ＤＢ１）のＢＴＳ集線装置グループＣｅｌｌｉｄ管理表（ＤＢ１−３）よりグループ１に属する基地局（ＢＴＳ）であることを確認する。
【００２６】
そしてページングリクエスト（Ｍ２０１）メッセージ中の移動通信端末識別番号（ＩＭＳＩ）が４４０１２３４５６７８９１２２Ｈ（Ｍ２０１−２）であることを確認し、ページングリクエスト（Ｍ２０１）メッセージの内容からＡｂｉｓ-ＰＣＨ  Ｍｓｇ.  Ｔｒａｎｓｆｅｒ(ＧＰＭ)（Ｍ２０２）を生成する。ＢＴＳ・ＭＳ管理部（ＤＢ１）の基地局（ＢＴＳ）−移動通信端末（ＭＳ）管理表（ＤＢ１−２）より基地局番号１に待ち受けしている移動通信端末（ＭＳ）への着呼であることが分かる。
【００２７】
また、ＢＴＳ・ＭＳ管理部（ＤＢ１）の基地局（ＢＴＳ）管理表（ＤＢ１−１）から基地局番号が１の基地局はｓｓＢＴＳ１−１  ５５１−１でそのＣｅｌｌｉｄは１１１９Ｈ（Ｍ２０２−１）であることがわかる。そこで、Ａｂｉｓ-ＰＣＨ  Ｍｓｇ.  Ｔｒａｎｓｆｅｒ(ＧＰＭ)（Ｍ２０２）中のＣｅｌｌｉｄ情報は、ページングリクエスト（Ｍ２０１）の中のＣｅｌｌｉｄ：１０１Ｈ  Ｓｅｃｔｏｒ  ｎｕｍｂｅｒ:０Ｈ（Ｍ２０１−１）から基地局（ｓｓＢＴＳ１−１）５５１−１のＣｅｌｌｉｄである１１１９Ｈ（Ｍ２０２−１）に変換してメッセージを生成し、基地局（ｓｓＢＴＳ１−１）５５１−１へ送信する。
【００２８】
一方、基地局（ｓｓＢＴＳ１−１）５５１−１よりＡｂｉｓ-ＡＣＨ  Ｍｓｇ.Ｔｒａｎｓｆｅｒ(ＰＲＭ)  （Ｍ２０３）メッセージを受信した場合について説明する。
基地局（ｓｓＢＴＳ１−１）５５１−１よりＡｂｉｓ-ＡＣＨ  Ｍｓｇ.Ｔｒａｎｓｆｅｒ(ＰＲＭ)  （Ｍ２０３）メッセージを受信すると、メッセージの内容からＣｏｍｐｌｅｔｅ  Ｌ３  Ｉｎｆｏ:Ｐａｇｉｎｇ  Ｒｅｓｐｏｎｓｅ（Ｍ２０４）を生成する。その際、Ａｂｉｓ-ＡＣＨ  Ｍｓｇ.Ｔｒａｎｓｆｅｒ(ＰＲＭ)  （Ｍ２０３）メッセージ中のＣｅｌｌｉｄが１１１９Ｈ（Ｍ２０３−１）であることをまず確認する。そして、ＢＴＳ・ＭＳ管理部（ＤＢ１）の基地局（ＢＴＳ）管理表（ＤＢ１−１）と基地局（ＢＴＳ）グループ管理表（ＤＢ１−４）を参照し、Ｃｅｌｌｉｄ：１１１９Ｈ（Ｍ２０３−１）の基地局（ｓｓＢＴＳ１−１）が属しているグループが１であることが分かる。続いてＢＴＳ・ＭＳ管理部（ＤＢ１）のＢＴＳ集線装置グループＣｅｌｌｉｄ管理表（ＤＢ１−３）を参照してグループが１のＢＴＳ集線装置（ＢＴＳ集線装置１）のＣｅｌｌｉｄとＳｅｃｔｏｒ  ｎｕｍｂｅｒがＣｅｌｌｉｄ：１０１Ｈ  Ｓｅｃｔｏｒ  ｎｕｍｂｅｒ:０Ｈ（Ｍ２０４−１）であることが分かる。そこで、Ｃｏｍｐｌｅｔｅ  Ｌ３  Ｉｎｆｏ:  Ｐａｇｉｎｇ  Ｒｅｓｐｏｎｓｅ（Ｍ２０４）中のＣｅｌｌｉｄ情報を、Ａｂｉｓ-ＡＣＨ  Ｍｓｇ.Ｔｒａｎｓｆｅｒ(ＰＲＭ)  （Ｍ２０３）の中の基地局（ｓｓＢＴＳ１−１）５５１−１のＣｅｌｌｉｄ：１１１９Ｈ（Ｍ２０３−１）から、ＢＴＳ集線装置（ＢＴＳ集線装置１）５４１−１のＣｅｌｌｉｄ：１０１Ｈ  Ｓｅｃｔｏｒ  ｎｕｍｂｅｒ:０Ｈ（Ｍ２０４−１）に変換してメッセージを生成し、移動通信交換機（ＭＳＣ）へ送信する。
【００２９】
図１０はＢＴＳ集線装置の処理フローを示す図である。
上記のＢＴＳ集線装置の処理を図１０にフローで示す。
ＢＴＳ集線装置１  ５４１−１では、移動通信交換機（ＭＳＣ）５０１からページングリクエスト（Ｍ２０１）を受信する。（Ｓ１００１）そしてページングリクエスト（Ｍ２０１）メッセージからＣｅｌｌｉｄが１０１Ｈであることを確認し、対象基地局がＢＴＳ集線装置１にあると判定する。（Ｓ１００２）
続いて、ＢＴＳ・ＭＳ管理部（ＤＢ１）にＣｅｌｌｉｄ  １０１Ｈのグループの問い合わせを行い（Ｓ１００３）、ＢＴＳ集線装置グループＣｅｌｌｉｄ管理表（ＤＢ１−３）にてＣｅｌｌｉｄが１０１Ｈはグループ１であることを確認する。（Ｓ１００４）
そして、ページングリクエスト（Ｍ２０１）メッセージ中の移動通信端末識別番号（ＩＭＳＩ）が４４０１２３４５６７８９１２２Ｈ（Ｍ２０１−２）であることを確認する。（Ｓ１００５）
そしてＢＴＳ・ＭＳ管理部（ＤＢ１）に移動通信端末識別番号（ＩＭＳＩ）が４４０１２３４５６７８９１２２Ｈの待ち受けしている基地局を問い合わせる。（Ｓ１００６）
ＢＴＳ・ＭＳ管理部は、基地局（ＢＴＳ）−移動通信端末（ＭＳ）管理表（ＤＢ１−２）にて移動通信端末識別番号（ＩＭＳＩ）４４０１２３４５６７８９１２２Ｈは基地局番号１に待ち受けしている移動通信端末（ＭＳ）への着呼であることが分かる。（Ｓ１００７）
また、ＢＴＳ・ＭＳ管理部（ＤＢ１）の基地局（ＢＴＳ）管理表（ＤＢ１−１）から基地局番号が１の基地局はｓｓＢＴＳ１−１  ５５１−１でそのＣｅｌｌｉｄは１１１９Ｈ（Ｍ２０２−１）であることを確認する。（Ｓ１００８）
そこで、Ａｂｉｓ-ＰＣＨ  Ｍｓｇ.  Ｔｒａｎｓｆｅｒ(ＧＰＭ)（Ｍ２０２）中のＣｅｌｌｉｄ情報は、ページングリクエスト（Ｍ２０１）の中のＣｅｌｌｉｄ：１０１Ｈ  Ｓｅｃｔｏｒ  ｎｕｍｂｅｒ:０Ｈ（Ｍ２０１−１）から基地局（ｓｓＢＴＳ１−１）５５１−１のＣｅｌｌｉｄである１１１９Ｈ（Ｍ２０２−１）に変換してメッセージを生成する。（Ｓ１００９）
そして、生成したＡｂｉｓ-ＰＣＨ  Ｍｓｇ.  Ｔｒａｎｓｆｅｒ(ＧＰＭ)（Ｍ２０２）を基地局（ｓｓＢＴＳ１−１）５５１−１へ送信する。（Ｓ１０１０）
一方、基地局（ｓｓＢＴＳ１−１）５５１−１よりＡｂｉｓ-ＡＣＨ  Ｍｓｇ.Ｔｒａｎｓｆｅｒ(ＰＲＭ)  （Ｍ２０３）メッセージを受信する。（Ｓ１０１１）
するとＡｂｉｓ-ＡＣＨ  Ｍｓｇ.Ｔｒａｎｓｆｅｒ(ＰＲＭ)  （Ｍ２０３）メッセージ中のＣｅｌｌｉｄが１１１９Ｈ（Ｍ２０３−１）であることをまず確認する。（Ｓ１０１２）
そして、ＢＴＳ・ＭＳ管理部（ＤＢ１）にＣｅｌｌｉｄが１１１９ＨのグループのＣｅｌｌｉｄの問い合わせを行う。（Ｓ１０１３）
ＢＴＳ・ＭＳ管理部は、基地局（ＢＴＳ）管理表（ＤＢ１−１）にて、Ｃｅｌｌｉｄ  １１１９Ｈは基地局管理番号１（ｓｓＢＴＳ１−１）５５１−１であることを確認する。（Ｓ１０１４）
そして、基地局（ＢＴＳ）グループ管理表（ＤＢ１−４）を参照し、Ｃｅｌｌｉｄ：１１１９Ｈ（Ｍ２０３−１）の基地局（ｓｓＢＴＳ１−１）が属しているグループが１であることを確認する。（Ｓ１０１５）
続いてＢＴＳ・ＭＳ管理部（ＤＢ１）のＢＴＳ集線装置グループＣｅｌｌｉｄ管理表（ＤＢ１−３）を参照してグループが１のＢＴＳ集線装置（ＢＴＳ集線装置１）のＣｅｌｌｉｄとＳｅｃｔｏｒ  ｎｕｍｂｅｒがＣｅｌｌｉｄ：１０１Ｈ  Ｓｅｃｔｏｒ  ｎｕｍｂｅｒ:０Ｈ（Ｍ２０４−１）であることを確認する。（Ｓ１０１６）そこで、Ｃｏｍｐｌｅｔｅ  Ｌ３  Ｉｎｆｏ:  Ｐａｇｉｎｇ  Ｒｅｓｐｏｎｓｅ（Ｍ２０４）中のＣｅｌｌｉｄ情報を、Ａｂｉｓ-ＡＣＨ  Ｍｓｇ.Ｔｒａｎｓｆｅｒ(ＰＲＭ)  （Ｍ２０３）の中の基地局（ｓｓＢＴＳ１−１）５５１−１のＣｅｌｌｉｄ：１１１９Ｈ（Ｍ２０３−１）から、ＢＴＳ集線装置（ＢＴＳ集線装置１）５４１−１のＣｅｌｌｉｄ：１０１Ｈ  Ｓｅｃｔｏｒ  ｎｕｍｂｅｒ:０Ｈ（Ｍ２０４−１）に変換してメッセージを生成し（Ｓ１０１７）、移動通信交換機（ＭＳＣ）へ送信する。（Ｓ１０１８）
上記説明したように、本願発明によれば、基地局（ＢＴＳ）の識別を最大１２ビットで行っていたのを、セクタ識別のために使用されていた４ビットも含めて最大１６ビットで行うようにするので、１つの移動通信交換機（ＭＳＣ）に収容できる基地局（ＢＴＳ）の数を増やすことができる。
【００３０】
また、移動通信交換機（ＭＳＣ）と基地局（ＢＴＳ）のと間にＢＴＳ集線装置を設け、このＢＴＳ集線装置にＣｅｌｌｉｄを変換する機能をたせ、ＢＴＳ集線装置が移動通信交換機（ＭＳＣ）と独立したＣｅｌｌｉｄの管理を行うことで、１つの移動通信交換機（ＭＳＣ）において識別できる基地局（ＢＴＳ）の数を増やすことができる。また、ＢＴＳ集線装置に、基地局（ＢＴＳ）及び移動通信端末（ＭＳ）を管理する機能を付加することにより効率よくＣｅｌｌｉｄを変換する。
【００３１】
さらに、移動通信交換機（ＭＳＣ）とＢＴＳ集線装置との間は従来の規格どおりセクタ識別用の４ビットを含む１６ビットのＣｅｌｌｉｄで通信し、ＢＴＳ集線装置と基地局（ＢＴＳ）との間の通信は従来どおりのＣｅｌｌｉｄまたは、セクタ識別用の４ビットを含まない１６ビットすべてが基地局識別用に使用できるフォーマットのＣｅｌｌｉｄ用いるようにするので、既存の移動通信交換機（ＭＳＣ）を変更せずに、多数の基地局を収容できる。
その結果、高価な移動通信交換機（ＭＳＣ）を増設することなくマクロセル方式と同等の台数の移動通信端末（ＭＳ）が収容できる。
【図面の簡単な説明】
【００３２】
【図１】移動通信ネットワークおけるネットワーク構成例を示す図である。
【図２】Ｃｅｌｌｉｄの定義を示す図である。
【図３】移動通信端末への着呼時のシーケンスを示す図である。
【図４】基地局制御装置における処理フローを説明する図である。
【図５】本願発明の一実施例における移動通信ネットワーク構成を示す図である。
【図６】本願発明の一実施例におけるメッセージ内のＣｅｌｌｉｄｅｎｔｉｆｉｅｒ情報を説明する図である。
【図７】本願発明の一実施例におけるＢＴＳ集線装置の構成を示す図である。
【図８】ＢＴＳ集線装置内の管理テーブルのイメージ図である。
【図９】移動通信端末への着呼時のシーケンスを示す図である。
【図１０】ＢＴＳ集線装置の処理フローのイメージ
【符号の説明】
【００３３】
１０１  ５０１  移動通信交換機（ＭＳＣ）
１１１  ５１１  基地局制御装置（ＢＳＣ）
１２１  ５２１  基地局（ＢＴＳ）
１３１  ５３１  移動通信端末（ＭＳ）
５４１  ＢＴＳ集線装置
５５１  超小規模基地局（ｓｓＢＴＳ）
【図１】
0004945400.tif 000002
【図２】
0004945400.tif 000003
【図３】
0004945400.tif 000004
【図４】
0004945400.tif 000005
【図５】
0004945400.tif 000006
【図６】
0004945400.tif 000007
【図７】
0004945400.tif 000008
【図８】
0004945400.tif 000009
【図９】
0004945400.tif 000010
【図１０】
0004945400.tif 000011